(57)【要約】【課題】  ＩＣカードが入力した映像データ及び／又は音声データを、ホスト機器が出力するＩＣカード、ホスト機器、及びデジタル信号受信システムを提供する。【解決手段】  本発明のＩＣカードは、符号化されたデジタル信号ストリームを入力する入力部と、デジタル信号ストリームから導出したクロックに基づいて復号化した映像データ及び／又は音声データを出力する復号化部と、ホスト機器から指示された分周比でクロックを分周するクロック分周制御部と、クロック分周制御部が出力可能なクロック周波数に関する情報を含むカード情報を有し、複数の接続線を介してマスター／スレーブ方式の通信で、カード情報、映像データ及び／又は音声データをホスト機器に送信するカード制御部と、接続線の一部を通常の双方向の通信のためにカード制御部と接続し、又はクロックをホスト機器に一方向に送信するためにクロック分周制御部と接続するバス制御部と、を有する。【選択図】        図１
2005348305.tif 000002
【特許請求の範囲】
【請求項１】
符号化された映像データ及び／又は音声データを含むデジタル信号ストリームを入力する入力部と、
前記デジタル信号ストリームからクロックを導出し、前記クロックに基づいて前記デジタル信号ストリームを復号化して、映像データ及び／又は音声データを出力する復号化部と、
ホスト機器から指示された分周比で前記クロックを分周して出力するクロック分周制御部と、
前記クロック分周制御部が出力可能なクロックの周波数に関する情報を含むカード情報を有し、前記ホスト機器をマスターとして、前記ホスト機器との間でマスター／スレーブ方式の通信を複数の接続線を介して行い、前記ホスト機器からの読み出し制御に基づいて、前記カード情報、並びに前記映像データ及び／又は音声データを前記ホスト機器に送信するカード制御部と、
前記ホスト機器との間の前記接続線の一部を、通常のマスター／スレーブ方式の双方向の通信線として使用するために前記カード制御部と接続し、又は分周された前記クロックを前記ホスト機器に一方向に送信する通信線として使用するために前記クロック分周制御部と接続するバス制御部と、
を有することを特徴とするＩＣカード。
【請求項２】
ホスト機器をマスターとし、ＩＣカードとの間でマスター／スレーブ方式の通信を複数の接続線を介して行い、前記ＩＣカードがデジタル信号ストリームから抽出したクロックに基づいて導出したカードクロックの出力可能な周波数に関する情報の送信要求を前記ＩＣカードに指令し、前記ＩＣカードが受信したデジタル信号ストリームを復号化した映像データ及び／又は音声データ、並びに前記ＩＣカードが保持する前記ＩＣカードが出力可能なカードクロックの周波数に関する情報を前記ＩＣカードから受信するホスト制御部と、
前記ホスト制御部が受信した映像データ及び／又は音声データを格納するバッファメモリと、
前記ＩＣカードとの間の前記接続線の一部を、第１のモードにおいて通常のマスター／スレーブ方式の双方向の通信線として使用するために前記ホスト制御部と接続し、第２のモードにおいて前記ＩＣカードが前記カードクロックをホスト機器に送信する通信線として使用するために少なくとも前記ホスト制御部との接続を遮断するバス制御部と、
ホストクロックを出力するホストクロック発振部と、
前記ホストクロックと前記ＩＣカードが送出する前記カードクロックとを入力し、前記第１のモードにおいて前記ホストクロック又はそれに同期したクロックを読み出しクロックとして出力し、前記第２のモードにおいて前記ＩＣカードが出力可能なカードクロックの周波数に関する情報に基づいて定めた分周比で前記カードクロックを分周し、分周したクロック又はそれに同期したクロックを読み出しクロックとして出力するクロック調整部と、
前記第２のモードにおいて、前記読み出しクロックを用いて前記バッファメモリから前記映像データ及び／又は音声データを読み出して出力する出力部と、
を有することを特徴とするホスト機器。
【請求項３】
前記ホスト制御部は、更に、前記ＩＣカードが出力可能な複数の周波数の中から選択した周波数の前記カードクロックを出力することを要求する指令を前記ＩＣカードに送信することを特徴とする請求項２に記載のホスト機器。
【請求項４】
前記第２のモードにおいて、前記クロック調整部は、前記第２のモードにおける読み出しクロックの周波数が、前記第１のモードにおける読み出しクロックの周波数に最も近くなるように、前記カードクロックの分周比を決定し、及び／又は前記ＩＣカードが出力する前記カードクロックの周波数を前記ＩＣカードに指令することを特徴とする請求項２又は請求項３に記載のホスト機器。
【請求項５】
前記クロック調整部は、
前記ホストクロックを入力し、所定の分周比で分周して出力する第１の分周器と、
前記カードクロックを入力し、選択可能な分周比で分周して出力する第２の分周器と、
前記第１の分周器の出力信号と前記第２の分周器の出力信号とを入力し、前記第１のモードにおいて前記第１の分周器の出力信号を出力し、前記第２のモードにおいて前記第２の分周器の出力信号を出力するセレクタと、
を有することを特徴とする請求項２に記載のホスト機器。
【請求項６】
前記クロック調整部はＰＬＬを更に有し、
前記ＰＬＬは、位相誤差信号に応じて発振周波数を変化させる発振器と、前記発振器の出力信号を選択可能な分周比で分周する第３の分周器と、前記セレクタの出力信号又は前記セレクタの出力信号に同期した信号と前記第３の分周器の出力信号との位相を比較し、位相誤差信号を出力する位相比較器と、を有し、前記発振器の出力信号又は前記発振器の出力信号に同期した信号を読み出し信号として出力する、
ことを特徴とする請求項５に記載のホスト機器。
【請求項７】
前記ＩＣカードが入力した音声データを含むデータを出力する場合は、前記第２のモードで動作し、
音声データを含まないで前記ＩＣカードが入力した映像データを出力する場合は、前記第１のモードで動作し、入力する前記デジタル信号ストリームの内蔵クロックと、前記読み出しクロックとが所定時間以上ずれた場合は、フィールド又はフレーム単位で、前記映像データを廃棄し又は同一の前記映像データを複数回繰り返し出力する、
ことを特徴とする請求項２に記載のホスト機器。
【請求項８】
請求項１に記載のＩＣカードと、請求項２から請求項７のいずれかの請求項に記載のホスト機器とを有することを特徴とするデジタル信号受信システム。
【発明の詳細な説明】
【技術分野】
【０００１】
本発明は、ホスト機器をマスターとしＩＣカードをスレーブとするマスター／スレーブ方式の通信により、ＩＣカードが受信したデジタル放送波の映像データ及び／又は音声データをホスト機器で再生する、ＩＣカード、ホスト機器、及びそれらを用いたデジタル信号受信システムに関する。
【背景技術】
【０００２】
近年、不揮発性メモリと他の機能とを搭載したＩＣカード（機能モジュールカード）が開発され、市場に普及してきた。例えば、フラッシュメモリと無線通信機能とを搭載したＩＣカードをＰＤＡ（Personal Digital Assistants、ホスト機器）に装着し、ＩＣカードが受信した映像データ及び音声データをＰＤＡに転送し、ＰＤＡのディスプレイ及びスピーカから出力する技術が実現されつつある。このようなデジタルテレビ及び／又はデジタルラジオのデジタル放送波の受信機能を搭載したＩＣカードを実現できれば、そのＩＣカード及びＩＣカードを装着可能なホスト機器は、ユーザにとってたいへん魅力的である。また従来から、ＰＤＡ等のホスト機器がＩＣカードにデータを転送し、ＩＣカードのフラッシュメモリに記憶する機能が実用化されている。
【０００３】
【特許文献１】特開２００１−０７７８５４号公報
【発明の開示】
【発明が解決しようとする課題】
【０００４】
一般に汎用のＩＣカード（例えばＳＤカード、メモリスティック）は、ホスト機器をマスターとし、ＩＣカードをスレーブとするマスター／スレーブ方式の通信により、ホスト機器と通信する。マスター／スレーブ方式の通信においては、マスターであるホスト機器がデータ伝送用のクロック及びデータ伝送のタイミングを定める。又、汎用のＩＣカードは、マスター／スレーブ方式の通信経路以外の、ホスト機器との通信経路を有していない。
そのため、従来の汎用のインターフェースを有するＩＣカードに地上波デジタル放送受信機能を搭載しても、受信したデジタル放送信号から生成したクロックをホスト機器に転送することができなかった。それ故にホスト機器は、放送局のタイムベースを再現できず、ＩＣカードから伝送されたデジタル放送のデータを正確なクロックで出力することができないという問題があった。
【０００５】
ＩＣカードは様々なホスト機器に装着されるために、ＩＣカードが受信した地上波デジタル放送信号から生成したクロックをホスト機器に転送したとしても、ホスト機器でそのクロックを利用できない恐れがあった。
【０００６】
ＩＣカードが受信した地上波デジタル放送信号から生成した放送局のクロックと、ホスト機器が内蔵するクロックとはそれぞれ独立のものである。もしホスト機器が内蔵する独立のクロックに基づいてデータを出力すれば、ディスプレイ又はスピーカが表示するための映像信号又は音声信号がない時間が発生する場合（例えば映像信号のブラックアウト又はフリーズ、音声信号の無音区間）、又はホスト機器内に蓄積した映像信号又は音声信号がオーバーフローして、その一部を出力しないで廃棄する（映像信号又は音声信号のスキップ）場合が発生する。時間軸上で連続するデジタル放送信号は、デジタル放送信号から生成されるクロックで処理し、出力する必要がある。
【０００７】
本発明は、マスター／スレーブ方式の通信を行うＩＣカード（スレーブ）とホスト機器（マスター）において、ＩＣカードが受信したデジタル信号ストリームから取り出したクロックをホスト機器で忠実に再現でき、ホスト機器が再生する映像データ及び／又は音声データに不連続が発生しないＩＣカード、ホスト機器、及びそれらを用いたデジタル信号受信システムを提供することを目的とする。
本発明は、デジタル信号ストリームから取り出したクロックを個々のホスト機器に合った周波数に分周して出力するＩＣカードを提供することを目的とする。
ＩＣカードが受信した放送波のデジタル信号ストリームから取り出したクロックをホスト機器で再現することにより、ホスト機器は放送局のタイムベースを再現して、データを出力することが可能になる。
本発明は、電力の消費を抑えて、ＩＣカードが受信したデジタル放送の映像データをホスト機器で出力することができるＩＣカード、ホスト機器、及びそれらを用いたデジタル信号受信システムを提供することを目的とする。
本発明は、汎用のホスト機器と汎用のＩＣカードとを互換性をもって組み合わせ可能なＩＣカード、ホスト機器、及びそれらを用いたデジタル信号受信システムを提供することを目的とする。
【課題を解決するための手段】
【０００８】
上記課題を解決するため、本発明は下記の構成を有する。請求項１に記載の発明は、符号化された映像データ及び／又は音声データを含むデジタル信号ストリームを入力する入力部と、前記デジタル信号ストリームからクロックを導出し、前記クロックに基づいて前記デジタル信号ストリームを復号化して、映像データ及び／又は音声データを出力する復号化部と、ホスト機器から指示された分周比で前記クロックを分周して出力するクロック分周制御部と、前記クロック分周制御部が出力可能なクロックの周波数に関する情報を含むカード情報を有し、前記ホスト機器をマスターとして、前記ホスト機器との間でマスター／スレーブ方式の通信を複数の接続線を介して行い、前記ホスト機器からの読み出し制御に基づいて、前記カード情報、並びに前記映像データ及び／又は音声データを前記ホスト機器に送信するカード制御部と、前記ホスト機器との間の前記接続線の一部を、通常のマスター／スレーブ方式の双方向の通信線として使用するために前記カード制御部と接続し、又は分周された前記クロックを前記ホスト機器に一方向に送信する通信線として使用するために前記クロック分周制御部と接続するバス制御部と、を有することを特徴とするＩＣカードである。
【０００９】
後述する本発明のホスト機器は、通常の動作時には内蔵するホストクロックに基づいて動作し、ＩＣカードから映像データ及び／又は音声データを入力する場合は、ＩＣカードから送られた分周されたクロック（カードクロックと呼ぶ）に基づいて動作する。一般にホスト機器は常に基本となるクロックを入力しなければ、正常に動作しない。ホスト機器の内部回路を２つの異なるクロックで動かすと２つのクロックで動作する回路のインターフェースで誤動作が生じる。それ故に、一つのつながりを有する回路全体に１つの基本となるクロックを供給し、回路全体が同期して動作するようにしなければならない。多くのホスト装置において、モードによりホスト機器の基本クロックの周波数が変化することは、誤動作等の事故を生じる故に許されない。本発明のホスト装置は、ホストクロックを使用する時と、カードクロックを使用する時とで、内部の動作用のクロック（読み出しクロック）の周波数が同一になるようにＩＣカードの分周比を設定する。
【００１０】
本発明のＩＣカードは、受信したデジタル信号ストリームから取り出したクロックをホスト機器に指示された値のクロック周波数に分周して出力する。本発明のＩＣカードを本発明のホスト機器に装着して接続することにより、ＩＣカードが入力したデジタル信号ストリームから取り出したクロックをホスト機器で忠実に再現でき、ホスト機器が再生する映像データ又は音声データに不連続が発生せず、且つデジタル信号ストリームを再生するか否かにかかわらず正常に動作するＩＣカードを実現する。
本発明は、汎用のインターフェース（マスター／スレーブ通信用の汎用の接続線）とデジタル放送受信機能とを有し、従来のホスト機器及び本発明のホスト機器の両方と接続できるＩＣカードを実現できる。
【００１１】
符号化された映像データ及び／又は音声データを復号化する方法は任意である。例えば、誤り訂正符号化された映像データ等を復号化しても良く、圧縮符号化された映像データ及び／又は音声データ等を復号化しても良い。
【００１２】
請求項２に記載の発明は、ホスト機器をマスターとし、ＩＣカードとの間でマスター／スレーブ方式の通信を複数の接続線を介して行い、前記ＩＣカードがデジタル信号ストリームから抽出したクロックに基づいて導出したカードクロックの出力可能な周波数に関する情報の送信要求を前記ＩＣカードに指令し、前記ＩＣカードが受信したデジタル信号ストリームを復号化した映像データ及び／又は音声データ、並びに前記ＩＣカードが保持する前記ＩＣカードが出力可能なカードクロックの周波数に関する情報を前記ＩＣカードから受信するホスト制御部と、前記ホスト制御部が受信した映像データ及び／又は音声データを格納するバッファメモリと、前記ＩＣカードとの間の前記接続線の一部を、第１のモードにおいて通常のマスター／スレーブ方式の双方向の通信線として使用するために前記ホスト制御部と接続し、第２のモードにおいて前記ＩＣカードが前記カードクロックをホスト機器に送信する通信線として使用するために少なくとも前記ホスト制御部との接続を遮断するバス制御部と、ホストクロックを出力するホストクロック発振部と、前記ホストクロックと前記ＩＣカードが送出する前記カードクロックとを入力し、前記第１のモードにおいて前記ホストクロック又はそれに同期したクロックを読み出しクロックとして出力し、前記第２のモードにおいて前記ＩＣカードが出力可能なカードクロックの周波数に関する情報に基づいて定めた分周比で前記カードクロックを分周し、分周したクロック又はそれに同期したクロックを読み出しクロックとして出力するクロック調整部と、前記第２のモードにおいて、前記読み出しクロックを用いて前記バッファメモリから前記映像データ及び／又は音声データを読み出して出力する出力部と、を有することを特徴とするホスト機器である。
【００１３】
本発明のホスト機器においては、一つのつながりを有する回路全体が、クロック調整部が出力するクロックを基本クロックとして動作する故に、誤動作の恐れがない。本発明は、ＩＣカードが入力したデジタル信号ストリームから取り出したクロックをホスト機器で忠実に再現でき、ホスト機器が再生する映像データ又は音声データに不連続が発生せず、且つデジタル信号ストリームを再生するか否かにかかわらず正常に動作するホスト機器を実現する。
【００１４】
本発明は、汎用のインターフェースを有し、従来のＩＣカード及び本発明のＩＣカードの両方と接続できるホスト機器を実現できる。
出力部は、バッファメモリから読み出した映像データ及び／又は音声データをそのまま出力しても良く、所定の処理（例えば圧縮された映像データ及び／又は音声データの伸長処理）をした後、出力しても良い。
【００１５】
請求項３に記載の発明は、前記ホスト制御部は、更に、前記ＩＣカードが出力可能な複数の周波数の中から選択した周波数の前記カードクロックを出力することを要求する指令を前記ＩＣカードに送信することを特徴とする請求項２に記載のホスト機器である。
本発明のホスト機器は、ホスト機器においてクロックの分周比を適応的に選択するとともに、ＩＣカードにも選択された周波数のクロックを出力することを指令する。本発明は、種々のＩＣカードのいずれを接続した場合にも高い適応性を発揮して正常に動作する（典型的には、ＩＣカードの種類にかかわらずクロック調整部が一定の周波数の読み取りクロックを出力する）ホスト機器を実現する。
【００１６】
請求項４に記載の発明は、前記第２のモードにおいて、前記クロック調整部は、前記第２のモードにおける読み出しクロックの周波数が、前記第１のモードにおける読み出しクロックの周波数に最も近くなるように、前記カードクロックの分周比を決定し、及び／又は前記ＩＣカードが出力する前記カードクロックの周波数を前記ＩＣカードに指令することを特徴とする請求項２又は請求項３に記載のホスト機器である。
本発明は、デジタル信号ストリームを再生するか否かにかかわらず、ほとんど同一の応答をして正常に動作するホスト機器を実現する。好ましくは、第２のモードにおける読み出しクロックの周波数を、第１のモードにおける読み出しクロックの周波数と同一に設定する。
【００１７】
請求項５に記載の発明は、前記クロック調整部は、前記ホストクロックを入力し、所定の分周比で分周して出力する第１の分周器と、前記カードクロックを入力し、選択可能な分周比で分周して出力する第２の分周器と、前記第１の分周器の出力信号と前記第２の分周器の出力信号とを入力し、前記第１のモードにおいて前記第１の分周器の出力信号を出力し、前記第２のモードにおいて前記第２の分周器の出力信号を出力するセレクタと、を有することを特徴とする請求項２に記載のホスト機器である。
【００１８】
第２の分周器の分周比を適切に設定することにより、第２のモードにおける読み出しクロックの周波数を、第１のモードにおける読み出しクロックの周波数と同一又はほとんど同一に設定できる。本発明は、種々のＩＣカードのいずれを接続した場合にも高い適応性を発揮して正常に動作する（典型的には、ＩＣカードの種類にかかわらずクロック調整部が一定の周波数の読み取りクロックを出力する）ホスト機器を実現する。
【００１９】
請求項６に記載の発明は、前記クロック調整部はＰＬＬを更に有し、前記ＰＬＬは、位相誤差信号に応じて発振周波数を変化させる発振器と、前記発振器の出力信号を選択可能な分周比で分周する第３の分周器と、前記セレクタの出力信号又は前記セレクタの出力信号に同期した信号と前記第３の分周器の出力信号との位相を比較し、位相誤差信号を出力する位相比較器と、を有し、前記発振器の出力信号又は前記発振器の出力信号に同期した信号を読み出し信号として出力する、ことを特徴とする請求項５に記載のホスト機器である。
【００２０】
第１の分周器及び第２の分周器を用いることにより、セレクタの出力信号の周波数をある程度低く設定する。その後、第３の分周器を用いることにより、ＰＬＬの発振器の周波数を高くすることができる。ＰＬＬの発振器の周波数は、第３の分周器の分周比に比例して高くなり、第２の分周器の分周比に反比例して低くなる。本発明は、種々のＩＣカードのいずれを接続した場合にも高い適応性を発揮して正常に動作する（典型的には、ＩＣカードの種類にかかわらずクロック調整部が一定の周波数の読み取りクロックを出力する）ホスト機器を実現する。
【００２１】
請求項７に記載の発明は、前記ＩＣカードが入力した音声データを含むデータを出力する場合は、前記第２のモードで動作し、音声データを含まないで前記ＩＣカードが入力した映像データを出力する場合は、前記第１のモードで動作し、入力する前記デジタル信号ストリームの内蔵クロックと、前記読み出しクロックとが所定時間以上ずれた場合は、フィールド又はフレーム単位で、前記映像データを廃棄し又は同一の前記映像データを複数回繰り返し出力する、ことを特徴とする請求項２に記載のホスト機器である。
本発明は、信号の欠落等がユーザに強い不快感を与える恐れがある音声データについては、第２のモードを用いて正確に音声データを再生し、回路の消費電力が大きく、信号の欠落等がユーザにとってそれほど致命的ではない映像データ（音声データを含まない）については、第１のモードを用いて消費電力の増大を抑圧する。本発明は、使い勝手の良いホスト機器を実現できるという作用を有する。
【００２２】
請求項８に記載の発明は、請求項１に記載のＩＣカードと、請求項２から請求項７のいずれかの請求項に記載のホスト機器とを有することを特徴とするデジタル信号受信システムである。
本発明は、従来のＩＣカード及びホスト機器と一定の互換性を維持しつつ、ＩＣカードからデジタル信号ストリームを入力し、映像データ又は音声データに不連続が発生することなくホスト機器から出力するデジタル信号受信システムを実現できる。
【発明の効果】
【００２３】
本発明によれば、マスター／スレーブ方式の通信を行うＩＣカード（スレーブ）とホスト機器（マスター）において、ＩＣカードが受信したデジタル信号ストリームから取り出したクロックをホスト機器で忠実に再現でき、ホスト機器が再生する映像データ又は音声データに不連続が発生しないＩＣカード、ホスト機器、及びそれらを用いたデジタル信号受信システムを実現できるという有利な効果が得られる。
ＩＣカードが受信した放送波のデジタル信号ストリームから取り出したクロックをホスト機器で再現することにより、ホスト機器は放送局のタイムベースを再現して、データを出力することが可能になる。
本発明によれば、電力の消費を抑えて、ＩＣカードが受信したデジタル放送の映像データをホスト機器で出力することができるＩＣカード、ホスト機器、及びそれらを用いたデジタル信号受信システムを実現できるという有利な効果が得られる。
本発明によれば、汎用のホスト機器と汎用のＩＣカードとを互換性をもって組み合わせ可能なＩＣカード、ホスト機器、及びそれらを用いたデジタル受信システムを実現できるという有利な効果が得られる。
【発明を実施するための最良の形態】
【００２４】
以下本発明の実施をするための最良の形態を具体的に示した実施の形態について、図面とともに記載する。
【００２５】
《実施の形態》
図１〜図６を用いて、本発明の実施の形態のＩＣカード（機能モジュールカード）とホスト機器、及びそれらを用いたデジタル信号受信システムを説明する。図１は、本発明の実施の形態の機能モジュールカード及びホスト機器の構成を示すブロック図である。図１において、１０１は機能モジュールカード、１０２はホスト機器である。
機能モジュールカード１０１は、チューナ１１１、復調部１１２、ＴＳ（トランスポートストリーム）デコーダ１１３、クロック分周制御部１１４、カード制御部１１５、バス制御部１１６を有する。カード制御部１１５は、カード情報１１７を有する。本発明の実施の形態において、機能モジュールカード１０１は、汎用のメモリカードに地上波デジタル放送受信機能を搭載したチューナカードである。
【００２６】
ホスト機器１０２は、バス１２０、原発振１２１、クロック調整部１２２、クロック生成部１２３、クロック制御部１２４、システム制御部１２５、映像再生部１２６、音声再生部１２７、ホスト制御部１２８、バス制御部１２９を有する。クロック調整部１２２は、分周回路１３１、１３２、セレクタ１３３、１３５、ＰＬＬ（Phase Locked Loop）１３４を有する。クロック制御部１２４、システム制御部１２５、映像再生部１２６、音声再生部１２７、ホスト制御部１２８は、バス１２０を通じて相互に接続されている。本発明の実施の形態において、ホスト機器１０２は、カードの挿入スロットを有するデジタルカメラである。実施の形態のホスト機器１０２は、機能モジュールカード１０１をカードの挿入スロットに差し込み、機能モジュールカードで受信した地上波デジタル放送の映像データ及び／又は音声データを出力する。
【００２７】
機能モジュールカード１０１とホスト機器１０２とは、データ／クロック線１４１、データ線１４２、１４３、１４４、コマンド／レスポンス線１４５、クロック線１４６とで接続される。更に、ホスト機器１０２から機能モジュールカード１０１に電源を供給する電源線及びグラウンド線が、ホスト機器１０２と機能モジュールカード１０１との接続線に含まれる（図示していない。）。機能モジュールカード１０１は、ホスト機器１０２から電力を供給されて動作する。
【００２８】
機能モジュールカード１０１の各ブロックについて説明する。チューナ１１１は、放送局から送信された映像データ及び／又は音声データを含む地上波デジタル放送信号を受信して、ホスト機器１０２が指定した特定のチャンネルの周波数を取り出す。実施の形態においては、機能モジュールカード１０１は、無線で送信された放送信号を受信する。これに代えて、機能モジュールカード１０１は、有線で送信された放送信号を受信しても良い。チューナ１１１は、ホスト機器１０２が選局したチャンネルをチャンネル設定情報として保持している。
復調部１１２は、放送信号に含まれるクロック情報（例えば特定の同期信号区間又はデータの変化点が、クロックを再生するための情報を有する。）を抽出してＴＳクロック１５１を生成すると共に、受信した放送信号を復調して、ＴＳ１５２を出力する。
【００２９】
ＴＳデコーダ１１３は、ＴＳクロック１５１とＴＳ１５２に含まれる時間情報とに基づいて、システムタイムクロック１５３を生成し、システムタイムクロックを用いてＴＳ１５２をデコードして、映像データ及び／又は音声データ１５４を出力する。システムタイムクロック１５３は、典型的にはＴＳデコーダ１１３に含まれＴＳクロック１５１に同期するＰＬＬの出力信号である。
地上波デジタル放送信号に含まれる映像データ及び／又は音声データは、それぞれデータ圧縮され、誤り訂正符号化され、シャッフリング（又はスクランブル）されている。ＴＳデコーダ１１３は、受信したＴＳ１５２を、それぞれデシャッフルし（又はデスクランブルし）、誤り訂正復号化して、映像データ及び／又は音声データ１５４、及び／又はその他の付帯情報データを生成する。
【００３０】
ＴＳデコーダ１１３は、生成した映像データ及び／又は音声データ１５４をカード制御部１１５に伝送し、生成したシステムタイムクロック１５３をクロック分周制御部１１４に伝送する。
実施の形態において、機能モジュールカード１０１が受信するデジタル信号ストリームはＭＰＥＧ２−ＴＳ形式で、ＴＳデコーダ１１３が生成するシステムタイムクロックの値は２７ＭＨｚである。
【００３１】
クロック分周制御部１１４は、１又は複数の分周比を有する。クロック分周制御部１１４は、システムタイムクロック１５３をホスト機器１０２が指定した周波数に分周して、分周クロック１５５を出力する。
バス制御部１１６は、クロック分周制御部１１４との間のクロック線１６１と、カード制御部１１５との間のデータ線１６２と、のどちらかをデータ／クロック線１４１に接続する。クロック線１６１をデータ／クロック線１４１に接続した場合（第２のモード）は、データ／クロック線１４１はクロック分周制御部１１４が出力するシステムタイムクロック１５３又はその分周クロック１５５をカードクロックとしてホスト機器１０２に一方向に送信する。データ線１６２をデータ／クロック線１４１に接続した場合は（第１のモード）、データ／クロック線１４１は他のデータ線１４２〜１４４と共に、カード制御部１１５とホスト制御部１２８との間でのマスター／スレーブ方式の双方向の通信（ホスト機器と機能モジュールカードとの間での標準プロトコルに基づいた通信）でデータを伝送する。初期設定では、データ／クロック線１４１はカード制御部１１５との間のデータ線１６２と接続している。
【００３２】
カード制御部１１５は、ホスト機器１０２をマスターとして、ホスト機器との間で接続線１４１〜１４６を介してマスター／スレーブ方式の通信を行う。例えば、カード制御部１１５は、ホスト機器１０２からのコマンドを受信し、チューナ１１１が受信したデジタル放送信号の映像データ及び音声データ、チューナ１１１の状態を知らせるレスポンス等をホスト機器１０２に送信する。上記のレスポンス及びデータの出力は、クロック線１４６を通じてホスト機器１０２から伝送されるクロックに同期して行われる。
【００３３】
カード制御部１１５は、カード情報１１７を有する。カード情報１１７は、機能モジュールカード１０１が地上波デジタル放送受信機能を搭載していること、システムタイムクロック１５３をデータ／クロック線１４１を通じて出力可能なこと、出力可能な分周クロック１５５の周波数の値、且つ映像データ及び／又は音声データ１５４をデータ線１４２〜１４４を通じて伝送すること等を含む情報である。カード制御部１１５は、ホスト制御部１２８からコマンド／レスポンス線１４５を通じてカード情報送信要求コマンドを受け取ると、カード情報１１７をホスト機器１０２に送信する。
【００３４】
カード制御部１１５は、ホスト機器１０２からクロック周波数又は分周比の値を受信すると、クロック分周制御部１１４に伝送し、分周比を設定する。カード制御部１１５は、ホスト機器からクロック送信要求コマンドを受信すると、バス制御部１１６にクロック線１６１をデータ／クロック線１４１に接続するように指示する（第２のモード）。バス制御部１１６は、クロック分周制御部１１４が出力するシステムタイムクロック１５３又はその分周クロック１５５をカードクロックとしてホスト機器１０２に一方向に送信する。
【００３５】
ホスト機器１０２の各ブロックについて説明する。本発明のホスト機器１０２は、従来の汎用のホスト機器に、クロック調整部１２２、クロック制御部１２４、及びバス制御部１２９を追加した構成である。
原発振１２１は、例えば水晶発振器であり、ホストクロックを出力する。
【００３６】
クロック調整部１２２の分周回路１３１は、原発振１２１が出力したホストクロックを分周する。分周回路１３２は、機能モジュールカード１０１がデータ／クロック線１４１を介して出力したカードクロックを入力して分周する。分周回路１３１及び１３２のそれぞれの分周比は、セレクタ１３３に入力されるホストクロックとカードクロックとが同一の周波数になるように、クロック制御部１２４により設定される。
【００３７】
セレクタ１３３は、分周されたカードクロックと、分周されたホストクロックのどちらか一方を出力する。実施の形態において、機能モジュールカード１０１を装着し、且つ音声データを再生する場合は、カードクロックを出力する（第２のモード）。それ以外（カードを装着していない、又はカードを装着しているが機能モジュールカード１０１から送られた音声データを再生しない（映像データのみを再生する））場合は、ホストクロックを出力する（第１のモード）。
【００３８】
セレクタ１３３が出力したクロックは、ＰＬＬ（フェーズロックループ）１３４に入力される。ＰＬＬ１３４は、位相誤差信号に応じて発振周波数を変化させる電圧制御型発振器（ＶＣＯ）１３６と、発振器１３６の出力信号を選択可能な分周比で分周する分周回路１３７と、セレクタ１３３の出力信号と分周回路１３７の出力信号との位相を比較し、位相誤差信号を出力する位相比較器１３８と、を有する。ＰＬＬ１３４は、入力したクロックと位相同期した発振器１３６の出力信号（「読み出しクロック」と呼ぶ。）を出力する。
【００３９】
セレクタ１３５は、原発振１２１が出力するホストクロックと、ＰＬＬ１３４が出力する読み出しクロックと、データ／クロック線１４１を介して入力するカードクロックと、分周回路１３２が出力するカードクロックを分周したクロックと、を入力し、選択して出力する。第１のモードでは原発振１２１が出力するホストクロックに同期したＰＬＬ１３４の読み出しクロックを出力し、第２のモードではカードクロックに同期したＰＬＬ１３４の読み出しクロックを出力する。
【００４０】
クロック生成部１２３は、クロック調整部１２２のセレクタ１３５が出力するクロックに基づいて、クロック制御部１２４、システム制御部１２５、映像再生部１２６、音声再生部１２７、ホスト制御部１２８にそれぞれクロックを供給する。各ブロックは、同期した１又は複数のクロックにより動作する。クロック生成部１２３は、セレクタ１３５が出力するクロックを分周して種々のクロックを生成し、又は内蔵するＰＬＬがセレクタ１３５が出力するクロックに同期した種々のクロックを生成する。データ／クロック線１４１を介して入力するカードクロックに基づいてクロック調整部１２２及びクロック生成部１２３で生成される読み出しクロック（第２のモード）は、少なくとも音声再生部１２７に供給される。又は、少なくとも映像再生部１２６と音声再生部１２７とに供給される。
クロック制御部１２４は、クロック調整部１２２内の分周回路１３１、１３２、及びセレクタ１３３と、バス制御部１２９とを制御する。クロック制御部１２４は、装着したカードが出力するクロック周波数に応じて、分周回路１３１、１３２の分周比を設定する。
【００４１】
システム制御部１２５は、ホスト機器１０２内部の動作を制御すると共に、機能モジュールカード１０１に動作を指示し、ホスト制御部１２８とカード制御部１１５との間の通信を制御する。
映像再生部１２６は、ＭＰＥＧ２又はＭＰＥＧ４等で圧縮された映像データを伸長し出力する。音声再生部１２７は、ＡＡＣ又はＭＰ３等で圧縮された音声データを伸長し出力する。映像再生部１２６及び音声再生部１２７は、クロック生成部１２３から供給される読み出しクロックに基づいて、それぞれ映像データ及び音声データを再生する。
【００４２】
ホスト制御部１２８は、ホスト機器１０２をマスターとし、機能モジュールカード１０１をスレーブとして、カード制御部１１５との間でマスター／スレーブ方式の通信を行う。例えば、ホスト制御部１２８は、機能モジュールカードが備える各種のレジスタ値を読み出す。ホスト制御部１２８はチューナ１１１の受信チャンネルの設定コマンド、カードクロックの出力指令コマンド及びそのクロック周波数又は分周比の値等を機能モジュールカード１０１に送信する。ホスト制御部１２８は、カード制御部１１５から伝送される映像データ及び音声データ等をデータ線１４２〜１４４を通じて受信する。ホスト制御部１２８は、コマンド又はデータの送信時、及びレスポンス又はデータの受信時、クロック線１４６を通じて機能モジュールカード１０１にクロックを伝送する。
【００４３】
バス制御部１２９は、ホスト制御部１２８との間のデータ線１６３をデータ／クロック線１４１に接続するか否かを制御する。ホスト制御部１２８とカード制御部１１５との間で双方向の通信を行う場合は、データ線１６３をデータ／クロック線１４１に接続する（第１のモード）。データ／クロック線１４１は、他のデータ線１４２〜１４４と共にマスター／スレーブ方式の通信（ホスト機器と機能モジュールカードとの間での標準プロトコルに基づいた通信）を行う接続線（データ線）として使用される。機能モジュールカード１０１のクロック分周制御部１１４から送信されたカードクロックをデータ／クロック線１４１を介して受信している間は、データ線１６３をデータ／クロック線１４１に接続しない。データ／クロック線１４１は、カードクロックを受信するための接続線として使用される（第２のモード）。
【００４４】
データ／クロック線１４１は、カード制御部１１５とホスト制御部１２８との間での通常のマスター／スレーブ通信のデータ線として使用される場合と、機能モジュールカード１０１からホスト機器１０２へカードクロックを送信するためのクロック線として使用される場合とあり、それぞれ機能モジュールカード１０１のバス制御部１１６と、ホスト機器１０２のバス制御部１２９とによって切り替えられる。
ホスト機器１０２の装着した機能モジュールカードが、地上波デジタル放送受信機能を有しない通常のカードの場合、又は機能モジュールカードが地上波デジタル放送受信機能を有するが、ホスト機器が音声データを再生しない場合は、データ／クロック線１４１はカード制御部１１４とホスト制御部１２８とに接続される。
【００４５】
機能モジュールカード１０１が地上波デジタル放送受信機能を有するチューナカードであり、ホスト機器１０２がデジタル放送の音声データを再生する場合は、データ／クロック線１４１は、機能モジュールカードのクロック分周制御部１１４とホスト機器の分周回路１３２とを結ぶように接続される。機能モジュールカード１０１が地上波デジタル放送を受信している間、クロック分周制御部１１４から分周回路１３２にデータ／クロック線１４１を介して、一方向にシステムタイムクロック１５３又は分周クロック１５５が伝送される。
【００４６】
本発明の実施の形態のデジタル放送受信方法を説明する。図２は、ホスト機器１０２に機能モジュールカード１０１を挿入して、機能モジュールカード１０１が地上波デジタル放送を受信開始するまでの機能モジュールカード１０１及びホスト機器１０２の初期化処理を示すフローチャートである。
ユーザは、ホスト機器１０２に機能モジュールカード１０１を差し込む。ホスト制御部１２８は、コマンド／レスポンス線１４５を介してカード制御部１１５にカード情報の送信要求を指令する（ステップ２０１）。
【００４７】
カード制御部１１５は、カード情報の送信要求指令を受信すると（ステップ２０２）、コマンド／レスポンス線１４５を介してホスト制御部１２８にカード情報１１７を送信する（ステップ２０３）。
ホスト制御部１２８は、カード情報を受信すると（ステップ２０４）、挿入されたカードが地上波デジタル放送受信機能を有するチューナカードであって、クロックの出力に対応しているか否か判断する（ステップ２０５）。「カードがクロックの出力に対応している」とは、機能モジュールカード１０１が、データ／クロック線１４１を通じて、ホスト機器１０２にシステムタイムクロック１５３又は分周クロック１５５（カードクロック）を伝送可能であることを意味する。「カードがクロックの出力に対応していない」とは、機能モジュールカード１０１のデータ／クロック線１４１が、通常のデータ線としてのみ使用可能であることを意味する。
【００４８】
ホスト機器に挿入されたカードが、クロックの出力に対応していなければ、ステップ２０７以下の処理以外の処理を行う（ステップ２０６）。バス制御部１２９は、ホスト制御部１２８との間のデータ線１６３をデータ／クロック線１４１に接続し、他のデータ線１４２〜１４４と共にデータ線として使用する。ホスト機器１０２は、機能モジュールカード１０１との間で通常のマスター／スレーブ方式の双方向通信を行う。
【００４９】
ホスト機器に挿入されたカードがクロックの出力に対応していれば、ホスト機器１０２は地上波デジタル放送の音声データを再生するか否かを判断する（ステップ２０７）。音声データを再生する場合、ホスト制御部１２８は、地上波デジタル放送の受信開始指令コマンド、ユーザが選択した視聴するチャンネル、カードクロック送信要求コマンド、及びそのカードクロック周波数の値をカード制御部１１５に送信する（ステップ２０８）。
バス制御部１２９は、データ／クロック線１４１とホスト制御部のデータ線１６３との接続を解除する（第２のモード）（ステップ２０９）。ホスト機器１０２は、図４のステップ４０１に進む（ステップ２１０）。
【００５０】
カード制御部１１５は、地上波デジタル放送の受信開始指令コマンド、視聴するチャンネル、カードクロック送信要求コマンド、及びそのクロック周波数の値を受信する（ステップ２１１）。ステップ２０８及び２１１の処理は、実際には１つの指令とそれに対応する処理がセットになって、１つずつ実行される。バス制御部１１６は、クロック分周制御部１１４との間のクロック線１６１をデータ／クロック線１４１に接続する（第２のモード）（ステップ２１２）。カード制御部１１５は、チューナ１１１に地上波デジタル放送の受信開始を指令し、視聴するチャンネルの値を転送する。カード制御部１１５は、クロック分周制御部１１４にクロック周波数又は分周比の値を転送し、分周比を設定する。機能モジュールカード１０１は、図３のステップ３０１に進む（ステップ２１３）。
【００５１】
ステップ２０７においてホスト機器１０２が地上波デジタル放送の音声データを再生しない場合は、ホスト制御部１２８は、コマンド／レスポンス線１４５を介して受信開始指令コマンドと、カードクロックを出力しないことの指令と、視聴するチャンネルの値と、を順次送信する（ステップ２１４）。バス制御部１２９は、ホスト制御部１２８との間のデータ線１６３をデータ／クロック線１４１に接続する（第１のモード）（ステップ２１５）。ホスト機器１０２は、図６のステップ４０１に進む（ステップ２１６）。
【００５２】
カード制御部１１５は、受信開始指令コマンド、視聴するチャンネルの値、及びカードクロックを出力しないことの指令を受信すると（ステップ２１７）、チューナ１１１に地上波デジタル放送の受信開始を指令し、視聴するチャンネルの値を転送する。バス制御部１１６は、カードクロックを出力しないことの指令に基づいて、データ／クロック線１４１をカード制御部１１５との間のデータ線１６２に接続する（第１のモード）（ステップ２１８）。機能モジュールカード１０１は、図５のステップ３０１に進む（ステップ２１９）。
【００５３】
図３及び４を用いて、地上波デジタル放送の映像データ及び音声データをホスト機器が再生する場合（第２のモード）のデジタル放送受信方法を説明する。図３は、機能モジュールカード１０１が地上波デジタル放送を受信開始して、システムタイムクロック又はその分周クロックをホスト機器１０２に送信する動作を示すフローチャートである。
機能モジュールカード１０１のチューナ１１１は、地上波デジタル放送信号を受信し（ステップ３０１）、選局した放送信号を復調部１１２に入力する。復調部１１２は、地上波デジタル放送信号をベースバンド信号に復調し、ＴＳ１５２を生成し、ＴＳから抽出した同期信号に基づいてＴＳクロック１５１を生成する（ステップ３０２）。
【００５４】
ＴＳデコーダ１１３は、ＴＳクロックとＴＳとを入力し、ＴＳに含まれる時間情報とＴＳクロックとを用いて、システムタイムクロック１５３を生成する（ステップ３０３）。ＴＳデコーダ１１３は、クロック分周制御部１１４にシステムタイムクロックを伝送する。クロック分周制御部１１４は、ホスト機器１０２が指定した周波数又は分周比に基づいて、システムタイムクロック１５３をそのまま、又はシステムタイムクロック１５３を分周して生成した分周クロック１５５を、カードクロックとしてデータ／クロック線１４１を介してホスト機器１０２に送信する（ステップ３０４）。
【００５５】
ＴＳデコーダ１１３は、システムタイムクロック１５３を用いてＴＳをデコード及びデスクランブルして、映像データ及び音声データ１５４を出力する（ステップ３０５）。映像データ及び音声データ１５４は、機能モジュールカード１０１のバッファメモリ（図示していない。）に格納される（ステップ３０６）。
【００５６】
ホスト機器１０２のクロック調整部１２２は、データ／クロック線１４１を介して、カードクロック（システムタイムクロック１５３又はその分周クロック１５５）を受信する（ステップ３０７）。クロック調整部１２２は、受信したカードクロック（システムタイムクロック１５３又は分周クロック１５５）と同期した読み出しクロックを生成する（ステップ３０８）。ホスト機器１０２は、図４の処理を実行する（ステップ３０９）。
【００５７】
図４は、ホスト機器１０２が機能モジュールカード１０１から映像データ及び音声データを受信して、再生するまでの機能モジュールカード１０１及びホスト機器１０２の動作を示すフローチャートである。
ホスト制御部１２８は、コマンド／レスポンス線１４５を介して、データ蓄積量の送信要求コマンドをカード制御部１１５に送信する（ステップ４０１）。カード制御部１１５は、データ蓄積量の送信要求コマンドを受信する（ステップ４０２）。カード制御部１１５は、バッファメモリ（図示していない。）に蓄積されているデータ量を読み出して、データ線１４２〜１４４の中の１又は複数の線を介して、データ蓄積量をホスト制御部１２８に送信する（ステップ４０３）。
【００５８】
ホスト制御部１２８は、データ蓄積量を受信すると（ステップ４０４）、データの送信要求をするか否か判断する（ステップ４０５）。データ蓄積量が少なければ、所定時間の経過後、ステップ４０１に戻り再びデータ蓄積量の送信要求を行う。
データ蓄積量が所定量より多ければ、ホスト制御部１２８は、コマンド／レスポンス線１４５を介して、データの送信要求をカード制御部１１５に指令する（ステップ４０６）。カード制御部１１５は、データの送信要求指令を受信すると（ステップ４０７）、バッファメモリから映像データ及び音声データ１５４を読み出して、データ線１４２〜１４４を介して、ホスト制御部１２８に送信する（ステップ４０８）。
【００５９】
ホスト制御部１２８は、映像データ及び音声データ１５４を受信すると（ステップ４０９）、バッファメモリ（図示していない。）に格納する（ステップ４１０）。
映像再生部１２６と音声再生部１２７は、クロック調整部１２２及びクロック生成部１２３が出力した読み出しクロック（カードクロックに同期したクロック）に基づいて、バッファメモリからそれぞれ映像データと音声データを読み出して、伸長する（ステップ４１１）。映像再生部１２６は、クロック生成部１２３が出力した読み出しクロックに基づいて伸長した映像データを出力し、音声再生部１２７は音声データを出力する（ステップ４１２）。
【００６０】
図３において、データ／クロック線１４１はカードクロック送信用の接続線として使用されるため、図３の機能モジュールカード１０１からホスト機器１０２へのカードクロック（システムタイムクロック１５３又は分周クロック１５５）の伝送と、図４の機能モジュールカード１０１からホスト機器１０２へのデータの伝送とは、それぞれ独立に実行できる。
本発明の機能モジュールカード１０１は、トランスポートストリーム１５２から生成したシステムタイムクロック１５３をホスト機器１０２が指定した値に分周して転送することができるので、ホスト機器１０２のクロック調整部１２２は、受信した分周クロック１５５に基づいて、読み出しクロックを生成することができる。映像再生部１２６及び音声再生部１２７に供給されるクロックは機能モジュールカード１０１から伝送されるカードクロックに同期する。これにより、ホスト機器１０２はデジタル放送信号に完全に同期することが可能である。ホスト機器１０２は、映像データ及び音声データを正しく、不連続（例えば画面又は音声のブラックアウト、フリーズ又はスキップ）が発生しないように再生できる。
【００６１】
図５及び６を用いて、地上波デジタル放送の映像データのみをホスト機器が再生する場合のデジタル放送受信方法を説明する（第１のモード）。
放送波に含まれる音声のサンプリングレートは、例えば４万４千〜４万８千サンプリング／秒である。再生する音声データに過不足が生じると、音声データの不連続が発生し、きわめて大きなノイズとなる。視聴するユーザは不快感を感じる。そのため、ホスト機器１０２は音声データを、機能モジュールカード１０１が受信したデジタル放送信号に完全に同期したクロックで、伸長する必要がある。
それに対し、放送波に含まれる映像のフレーム数は例えば約１５枚／秒であれば、再生する映像データに多少の過不足が生じても、ホスト機器で補間して再生すれば、ユーザは不快感を感じない。
地上波デジタル放送を受信中、機能モジュールカードからホスト機器にカードクロック（システムタイムクロック１５３又は分周クロック１５５）を伝送し続けると、電力を多く消費してしまう。そこで電力の消費を抑えるために、映像データのみを再生する場合は、機能モジュールカードからホスト機器にカードクロックの伝送を行わず、ホスト機器の内部で発振したホストクロックに基づいて、映像データを再生する。
【００６２】
図５は、機能モジュールカード１０１が地上波デジタル放送を受信し、且つホスト機器１０２がホストクロックに基づいて読み出しクロックを生成する動作を示すフローチャートである。図５において、図３と同一ステップには同一番号を付している。機能モジュールカード１０１の処理の説明を省略する。図５が図３と異なる点は、機能モジュールカード１０１が、ＴＳから生成したシステムタイムクロック１５３又はシステムタイムクロックを分周した分周クロック１５５をホスト機器１０２に送信しないこと（ステップ３０４が無い）と、ホスト機器１０２が内蔵する原発振１２１の出力するホストクロックに基づいて、読み出しクロックを生成すること（ステップ５０１〜５０３）である。その他のステップは、図３と同一であるため、詳細な説明を省略する。
【００６３】
ステップ５０１〜５０３について説明する。ホスト機器の原発振１２１は、ホストクロックを生成する（ステップ５０１）。クロック調整部１２２は、ホストクロック又はホストクロックを分周したクロックに同期した読み出しクロックを生成する（ステップ５０２）。ホスト機器１０２は、図６の処理を実行する（ステップ５０３）。
【００６４】
図６は、ホスト機器１０２が機能モジュールカード１０１からデータを受信して、映像データのみを再生するまでの機能モジュールカード１０１及びホスト機器１０２の動作を示すフローチャートである。図６において、図４と同一ステップには同一番号を付し、詳細な説明を省略する。機能モジュールカード１０１の処理の説明を省略する。ステップ４０９以降について説明する。
【００６５】
ホスト制御部１２８は、データ／クロック線１４１及びデータ線１４２〜１４４を介して、カード制御部１１５から映像データ及び音声データ１５４を受信する（ステップ４０９）。ホスト制御部１２８は、受信したデータが映像データか否か判断し（ステップ６０１）、音声データは破棄する（ステップ６０４）。ホスト制御部１２８は、受信した映像データをバッファメモリ（図示していない。）に格納する（ステップ４１０）。
映像再生部１２６は、クロック調整部１２２及びクロック生成部１２３が出力した読み出しクロック（ホストクロックに同期したクロック）に基づいて映像データを伸長する（ステップ６０２）。映像再生部１２６は、クロック生成部１２３が出力した読み出しクロックに基づいて伸長した映像データを出力する（ステップ６０３）。
【００６６】
クロック調整部１２２及びクロック生成部１２３が出力する読み出しクロックは、ホストクロックに同期して生成されているため、その読み出しクロックで伸長された映像データは過不足の生じる恐れがある。そのためステップ６０３において、映像再生部１２６は余分な映像フレームを間引き、又は映像データに不足が生じた場合は、同一フレームを２度出しするなどの映像データの補間を行う。これにより、ユーザに不快感を与えることなく、映像データを出力することができる。
図５及び図６によるデジタル放送受信方法は、機能モジュールカード１０１からホスト機器１０２にカードクロックを送信しないため、電力の消費を抑えることができる。
【００６７】
本発明の機能モジュールカードとホスト機器は、データ／クロック線１４１の接続先をそれぞれ切り替えて、伝送するデータに応じてクロックを切り替えることができる。
本発明の機能モジュールカード１０１は、クロック分周制御部１１４を有することにより、地上波デジタル放送信号から生成したシステムタイムクロックをそのまま、又はシステムタイムクロックをホスト機器１０２が指示した値に分周して出力することができる。本発明のホスト機器１０２は、分周回路１３２を有することにより、受信したカードクロック（システムタイムクロック１５３又は分周クロック１５５）を分周することができる。これらの分周器の分周比を組み合わせることにより、ホスト機器１０２は、地上波デジタル放送信号の内蔵クロックに同期し且つ所望の周波数のクロックを生成することが出来る。これにより、本発明の機能モジュールカードは汎用性を有し、様々なホスト機器に装着可能となる。本発明のホスト機器は汎用性を有し、様々な機能モジュールカードを装着可能となる。
【００６８】
なお、本発明のホスト機器１０２は、機能モジュールカード１０１から伝送されるカードクロック（システムタイムクロック１５３又はその分周クロック１５５）に同期したクロックを、映像再生部１２６及び音声再生部１２７に供給した。これに代えて、機能モジュールカード１０１から伝送されたシステムタイムクロック１５３又はその分周クロック１５５に同期したクロックを、ホスト機器１０２の他のブロックに供給しても良い。
【００６９】
カード制御部１１５とホスト制御部１２８とを接続した時のデータ／クロック線１４１、及びデータ線１４２〜１４５は、通常のメモリカードで規定されるデータ転送プロトコルに従ったデータ転送を実行する。これにより、機能モジュールカード１０１は、本発明のホスト機器１０２のみならず、従来のホスト機器に装着した場合にも、少なくともデジタル放送受信機能以外の機能を実行することができる。
本発明のホスト機器１０２は、本発明の機能モジュールカード１０１のみならず、従来の機能モジュールカード（システムタイムクロック及び分周クロックを出力できない。）を装着した場合にも（又は地上波デジタル放送受信機能と他の機能（例えばフラッシュメモリを使用するデータ格納機能）とを複合的に有する機能モジュールカードを装着した場合にも）、従来の機能モジュールカードの機能（例えばフラッシュメモリのデータ格納機能）を発揮させることができる。
【００７０】
機能モジュールカード１０１のチューナ１１１の仕様は任意であって、例えば無線又は有線で送信された映像データ及び／又は音声データを受信する。受信するデータはデジタル放送信号に限られない。光ディスク装置からの再生信号であっても良い。機能モジュールカードは、映像データ及び／又は音声データを有するデジタル信号ストリームを復号化して出力する機能以外の機能を有していても良い。
実施の形態のホスト機器は、地上波デジタル放送の映像データ及び音声データを再生する場合に、機能モジュールカード１０１から伝送されるカードクロックに同期したクロックを生成して、映像データ及び音声データを復号化した。これに代えて、ホスト機器は、映像データのみ又は音声データのみを再生する場合に、機能モジュールカード１０１から伝送されるカードクロックに同期したクロックを生成して、映像データ又は音声データを復号化しても良い。
【産業上の利用可能性】
【００７１】
本発明は、例えば地上波デジタル放送を受信する機能モジュールカードと、それを再生するホスト機器、及びデジタル信号受信システムに有用である。
【図面の簡単な説明】
【００７２】
【図１】本発明の実施の形態の機能モジュールカード及びホスト機器の構成を示すブロック図
【図２】本発明の実施の形態の機能モジュールカード及びホスト機器の初期化処理を示すフローチャート
【図３】本発明の実施の形態の機能モジュールカードが地上波デジタル放送を受信してホスト機器にカードクロックを送信する方法を示すフローチャート
【図４】本発明の実施の形態の機能モジュールカードが受信した地上波デジタル放送の映像データ及び音声データをホスト機器が出力する方法を示すフローチャート
【図５】本発明の実施の形態の機能モジュールカードが地上波デジタル放送を受信し、ホスト機器がホストクロックを生成する方法を示すフローチャート
【図６】本発明の実施の形態の機能モジュールカードが受信した地上波デジタル放送の映像データをホスト機器が出力する方法を示すフローチャート
【符号の説明】
【００７３】
１０１    機能モジュールカード
１０２    ホスト機器
１１１    チューナ
１１２    復調部
１１３    ＴＳデコーダ
１１４    クロック分周制御部
１１５    カード制御部
１１６    バス制御部
１１７    カード情報
１２０    バス
１２１    原発振
１２２    クロック調整部
１２３    クロック生成部
１２４    クロック制御部
１２５    システム制御部
１２６    映像再生部
１２７    音声再生部
１２８    ホスト制御部
１２９    バス制御部
１３１、１３２、１３７    分周回路
１３３、１３５    セレクタ
１３４    ＰＬＬ
１４１    データ／クロック線
１４２、１４３、１４４    データ線
１４５    コマンド／レスポンス線
１４６    クロック線
【図１】
2005348305.tif 000003
【図２】
2005348305.tif 000004
【図３】
2005348305.tif 000005
【図４】
2005348305.tif 000006
【図５】
2005348305.tif 000007
【図６】
2005348305.tif 000008